(57)【特許請求の範囲】
【請求項１】
前枠(3) に遊技盤装着手段(4) を介して遊技盤(5) を裏側から着脱自在に装着した弾球遊技機において、前記前枠(3) は、構造的強度を有する骨格部(44)と、遊技者が操作する操作部(45)と、前記骨格部(44)の前側に着脱自在に装着され且つ主に装飾的機能を有する表層部(46)とを備え、前記骨格部(44)に、前記遊技盤(5) が嵌合する装着枠部(52)と該装着枠部(52)内の前記遊技盤(5) を下側から支承する支承枠部(53)とを備え且つ前記骨格部(44)から裏側に突出する前記遊技盤装着手段(4) を設け、該遊技盤装着手段(4) の内周に、前記装着枠部(52)の上辺側から左右方向の一側辺を経て前記支承枠部(53)の左右方向の略中央に跨がり且つ前記遊技盤(5) が裏側から当接する当接板(56)と、該当接板(56)の内周縁から前側に屈曲し且つ前記遊技盤(5) の遊技領域(33)を取り囲み発射レール(48)側から発射された遊技球を前記遊技領域(33)へと誘導するように湾曲する前記誘導レール(32)とを設け、前記骨格部(44)と前記遊技盤装着手段(4) と前記当接板(56)と前記誘導レール(32)とを合成樹脂により一体に成型したことを特徴とする弾球遊技機。
【請求項２】
前記骨格部(44)は、前記前枠(3) を外枠(2) に対して止着する止着手段(6)(7)の一部を備えていることを特徴とする請求項１に記載の弾球遊技機。
【請求項３】
前記表層部(46)は、前記骨格部(44)を前面から覆うと共に、遊技者に対して視覚的効果で遊技状態等を報知する報知手段(10)の少なくとも一部構成部を備えていることを特徴とする請求項１又は２に記載の弾球遊技機。
【請求項４】
前記装着枠部(52)が門形状であることを特徴とする請求項１〜３の何れかに記載の弾球遊技機。
【請求項５】
前記骨格部(44)は裏面側に多数の補強リブ(50)を備えていることを特徴とする請求項１〜４の何れかに記載の弾球遊技機。
【請求項６】
前記表層部(46)は、概ね前記骨格部(44)の略全域を覆う一体成型品であることを特徴とする請求項１〜５の何れかに記載の弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
パチンコ機等の弾球遊技機には、通常、外枠と、この外枠に止着手段を介して開閉、着脱自在に止着される前枠とをベニヤ板等の木材により構成し、その前枠の裏側に合成樹脂製の遊技盤装着手段を固定して、この遊技盤装着手段を介して前枠の裏側に遊技盤を着脱自在に装着している。
【０００３】
しかし、木材資源の保護等の観点から、特開平４−３４８７７７号公報に記載のように、前枠を合成樹脂製とし、この前枠の裏側に遊技盤装着手段を一体に成型したものが提案されている。
【０００４】
【発明が解決しようとする課題】
従来の弾球遊技機は、木製、合成樹脂製を問わず、前枠の全体を一体に構成しているため、古い前枠の一部を再利用して新しい前枠を製作したり、前枠の前面側を交換することによってデザインを変更することが非常に困難であり、資源のリサイクル等の点で問題がある。
【０００５】
即ち、木製の前枠は、その前面側に薄い化粧板を接着、その他で一体に貼着しているため、新しい前枠の製作、或いは前枠のデザインの変更等に際し、前枠の化粧板を剥がし別の新しい化粧板を貼着して、前枠の本体部分を再利用することは、コスト、その他の点で非常に困難であり、使用済みの前枠、古いデザインの前枠等は全て廃棄せざるを得ない。
【０００６】
また合成樹脂製の前枠は、前面側の化粧面を含む全体が一体であるため、その前枠を構成する合成樹脂材料そのものを再利用することは可能であるものの、前枠の前面側を交換するだけで、新しい前枠を製作したり、デザインを変更したりすることはできない。このため前枠全体を新たに成型し直す必要があり、製作コストのアップを避け得ない。
【０００７】
本発明は、このような従来の問題に鑑み、前枠の主要な部分を再利用して、前枠の前面側の表層部を交換することにより、新しい前枠の製作、前枠のデザインの変更等を容易且つ低コストで行うことができ、前枠構成材料を有効に活用できる弾球遊技機を提供することを目的とする。
【０００８】
【課題を解決するための手段】
本発明は、前枠3 に遊技盤装着手段4 を介して遊技盤5 を裏側から着脱自在に装着した弾球遊技機において、前記前枠3 は、構造的強度を有する骨格部44と、遊技者が操作する操作部45と、前記骨格部44の前側に着脱自在に装着され且つ主に装飾的機能を有する表層部46とを備え、前記骨格部44に、前記遊技盤5 が嵌合する装着枠部52と該装着枠部52内の前記遊技盤5 を下側から支承する支承枠部53とを備え且つ前記骨格部44から裏側に突出する前記遊技盤装着手段4 を設け、該遊技盤装着手段4 の内周に、前記装着枠部52の上辺側から左右方向の一側辺を経て前記支承枠部53の左右方向の略中央に跨がり且つ前記遊技盤5 が裏側から当接する当接板56と、該当接板56の内周縁から前側に屈曲し且つ前記遊技盤5 の遊技領域33を取り囲み発射レール48側から発射された遊技球を前記遊技領域33へと誘導するように湾曲する誘導レール32とを設け、前記骨格部44と前記遊技盤装着手段4 と前記当接板56と前記誘導レール32とを合成樹脂により一体に成型したものである。
【０００９】
【発明の実施の形態】
以下、本発明の実施形態を図面に基づいて詳細に説明する。図１〜図３において、1 は遊技機本体で、外枠2 と前枠3 とから構成され、その前枠3 に遊技盤装着手段4 を介して遊技盤5 が裏側から装着されている。外枠2 は木製又は合成樹脂製であり、矩形状に構成されている。前枠3 は、上下一対の止着手段6,7 を介して外枠2 に開閉及び着脱自在に止着されている。
【００１０】
前枠3 は、遊技盤5 を着脱自在に装着する遊技盤装着手段4 と、遊技盤5 の前側に配置されたガラス扉8 及び前面板9 と、ガラス扉8 の上側に配置された報知手段10と、前面板9 の下側に配置された下皿ユニット（球受け皿ユニット）11及び発射手段12とを備えている。
【００１１】
前面板9 は、ガラス扉8 の下側に配置され、その前面に発射用の遊技球を貯留する上皿ユニット（球受け皿ユニット）13が前面に、上皿からの遊技球を発射レール上に送る球送り手段14が裏面に夫々装着されている。球送り手段14は、発射手段12の発射動作に連動して、上皿ユニット13内の遊技球を１個ずつ発射レール上に送るようになっている。報知手段10は、遊技盤5 側の遊技状態等を遊技者に対して視覚的効果で報知するためのもので、例えば大当たり表示ランプ等により構成されている。
【００１２】
前枠3 の裏側には、遊技盤装着手段4 に上下一対のヒンジ15,16 を介して裏機構板17が開閉及び着脱自在に枢着されると共に、この裏機構板17の下側の一側に、発射手段12の発射モータ18等が装着されている。裏機構板17は、遊技盤装着手段4 に装着された遊技盤5 を裏側から押圧して固定するように、遊技盤装着手段4 に当接する閉状態で複数個の締結レバー19により締結されている。
【００１３】
締結レバー19は、図１０及び図１１に示すようにネジ20により遊技盤装着手段4 に回動自在に枢支され、またネジ20は遊技盤装着手段4 側のナット体21に着脱自在に螺合されている。ナット体21は金属製の止着部を構成するものであって、遊技盤装着手段4 にインサートされている。
【００１４】
裏機構板17には、その中央部に、遊技盤5 の裏カバー23が嵌合する開口部22が形成されると共に、この開口部22の上側に遊技球タンク24、タンクレール25が、左右の一側に払い出し手段26が、下側に通路ユニット27、制御基板ユニット28が夫々配置されている。払い出し手段26は、入賞時に遊技球タンク24からタンクレール25を経て供給される遊技球を規定数ずつ払い出し、通路ユニット27を経て上皿ユニット13又は下皿ユニット11へと送り出すように構成されている。
【００１５】
なお、制御基板ユニット28は発射モータ18等を制御するためのものである。裏カバー23には、遊技盤5 側の遊技動作を制御する主制御基板ユニット29、遊技盤5 側の各種の表示ランプ類を制御する表示制御基板ユニット30等が装着されている。
【００１６】
遊技盤5 の前面には、図４に示すように内レール31が装着されると共に、誘導レール32と内レール31によって取り囲まれる遊技領域33内に、液晶表示手段34、始動ゲート35、始動入賞手段36、普通入賞手段37〜39、大入賞手段40、装飾ランプ41等の遊技部品が、遊技領域33の外側の左右の上隅部に上部表示ランプ42,43 が夫々設けられている。
【００１７】
前枠3 は、図３に示すように、構造的強度を有する骨格部44と、遊技者が操作する操作部45と、主に装飾的機能を有する表層部46とを備え、骨格部44の前面に表層部46が着脱自在に装着されている。
【００１８】
骨格部44は概ね合成樹脂製であって、止着手段6,7 の一部、遊技盤装着手段4 、下皿ユニット11の下皿骨格体47、誘導レール32、発射レール48及び発射手段12を備え、その遊技盤装着手段4 、下皿骨格体47及び誘導レール32が骨格部44に一体に成型されている。
【００１９】
また骨格部44には、後述するように、この骨格部44に各種の装着部品をネジ、その他により着脱自在に装着するための止着部が所要箇所に複数個設けられている。そして、その複数個の止着部の内、その少なくとも一部は金属製であって、骨格部44にインサートされている。
【００２０】
骨格部44には、図５〜図７に示すように、前面側に遊技盤5 に対応する矩形状の窓部49が形成されると共に、裏面側に多数の補強リブ50が縦横に一体形成されている。なお、骨格部44の外周側には、外枠2 の前面側に当接対応する段部51が補強リブ50によって設けられている。なお、骨格部44は一体成型品である。
【００２１】
遊技盤装着手段4 は、遊技盤5 が嵌合する門形状、その他の装着枠部52と、この装着枠部52に嵌合する遊技盤5 を下側から支承する支承枠部53とを備え、その装着枠部52が窓部49の上縁及び左右両縁に、支承枠部53が窓部49の下部に夫々対応するように、骨格部44の裏側から後方に突出して一体に形成されている。
【００２２】
装着枠部52の左右一対の縦辺部の内、止着手段6,7 側の縦辺部にヒンジ15,16 を介して裏機構板17が枢着されている。支承枠部53の下側には下セット板54が一体に形成され、この下セット板54に取り付け板55を介して発射レール48等が固定されている。
【００２３】
遊技盤装着手段4 の内周には、裏側から遊技盤5 が当接する当接板56が一体に形成され、この当接板56の内周に誘導レール32が設けられている。当接板56は、遊技盤5 の前側の受け板と飾り板とを兼用するもので、装着枠部52の上辺側から左右方向の一側辺を経て支承枠部53の左右方向の略中央に跨がって設けられている。
【００２４】
当接板56には、遊技盤5 側の上隅部の上部表示ランプ42,43 が嵌合する開口57,58 と、払い出し手段26から払い出された遊技球を上皿ユニット13に案内する案内口59とが形成されると共に、内周縁から前側に屈曲するように誘導レール32が一体に形成されている。誘導レール32は、遊技盤5 の遊技領域33を取り囲み且つ発射レール48側から発射された遊技球を遊技領域33へと案内するように所定の曲率で彎曲している。
【００２５】
止着手段6,7 は、図８及び図９に示すように、外枠2 側に固定された外枠ヒンジブラケット60と、前枠3 側に固定された前枠ヒンジブラケット61とを備え、両ヒンジブラケット60,61 が縦方向のヒンジピン62により着脱及び回動自在に結合されている。前枠ヒンジブラケット61は、骨格部44の裏側に屈曲する取り付け部61a を有し、その取り付け部61a が骨格部44にインサートされたナット体63にネジ64で着脱自在に固定されている。なお、ナット体63は金属製であり、前枠ヒンジブラケット61を骨格部44に止着するための止着部を構成している。
【００２６】
表層部46は、骨格部44の略全域を前側から覆う薄板状の合成樹脂製の一体成型品であり、報知手段10の少なくとも一部と、操作部45の表層体とを一体に備えている。即ち、表層部46は、図８〜１４に示すように、骨格部44の前面側に当接する表層カバー部65と、この表層カバー部65の内周縁から骨格部44の内周側に屈曲する内周屈曲部66と、表層カバー部65の外周縁から骨格部44の外周側に屈曲する外周屈曲部67とを一体に備え、その内周屈曲部66及び外周屈曲部67が骨格部44の内外周に夫々インサートされたナット体68,69 にネジ70,71 により着脱自在に固定されている。なお、ナット体68,69 は表層部46を骨格部44に止着するための止着部を構成し、金属製となっている。
【００２７】
ガラス扉8 は、図１０及び図１１に示すように、矩形枠状の扉枠72と、この扉枠72の裏側のガラス保持枠73と、このガラス保持枠73に着脱自在に挿入されたガラス板74とを備え、その扉枠72の一端側がヒンジ75を介して骨格部44に開閉自在に枢着され、他端側が施錠手段76によりロックされている。ヒンジ75は、表層部46と共にネジ70により骨格部44に装着され、施錠手段76の取り付け具77は表層部46と共にネジ70により骨格部44に装着されている。なお、前面板9 もガラス扉8 側と同様に骨格部44に装着されている。
【００２８】
下皿ユニット11は、図１２に示すように、下皿本体を構成する下皿骨格体47と、この下皿骨格体47を覆う下皿カバー部78とを備え、下皿カバー部78内に下皿骨格体47が裏側から嵌脱自在に嵌合されている。下皿骨格体47は、骨格部44の下部中央から前側に突出するように骨格部44に一体に成型されている。なお、下皿骨格体47は、下皿本体とは別構造とし、この下皿骨格体47で下皿本体を支持するようにしても良い。
【００２９】
下皿カバー部78は、下皿骨格体47に対応する開口79と、この開口79の周縁に沿って形成され且つ下皿骨格体47の少なくとも前端側の嵌合縁部80が嵌脱自在に嵌合する嵌合受け部81とを一体に備え、表層カバー部65から前側に突出するように表層部46に一体に形成されている。なお、下皿カバー部78には、灰皿82が設けられている。
【００３０】
骨格部44には、下皿骨格体47の内部に連通する球案内口83が形成されると共に、溢流球案内樋84が後方に突出するように装着されている。溢流球案内樋84は、上皿ユニット13の遊技球が満杯状態のときに、通路ユニット27を経て溢流する溢流球を下皿ユニット11内へと案内するためのもので、ネジ等により骨格部44の裏側に装着されている。
【００３１】
操作部45は、例えば遊技者が操作する発射手段12用の操作ハンドル85等により構成されており、その表層が表層部46と一体に成型されている。即ち、発射ハンドル85は、図１４に示すように回動つまみ86を備え、表層部46の表層カバー部65に一体に成型された表層筒体87に挿入され、骨格部44の裏側で発射手段12の機構部に連結されている。発射手段12は、回動つまみ86を把持して回動操作したときに作動して、発射レール48上の遊技球を誘導レール32側へと発射するようになっている。なお、操作部45は、遊技者が操作するものであれば良い。
【００３２】
報知手段10は、図１３に示すように、表層部46の表層カバー部65に一体又は別体に成型されたレンズ部88と、このレンズ部88の裏側に組み込まれた１個又は複数個の表示ランプ89とを備え、表示ランプ89は基板90に装着され、また基板90は表層カバー部65の裏側に着脱自在に固定されている。
【００３３】
上記構成の弾球遊技機によれば、次のような利点がある。前枠3 は、構造的強度を有する骨格部44と、遊技者が操作する操作部45と、主に装飾的機能を有する表層部46とを備え、その骨格部44の前面に表層部46を着脱自在に装着しているので、前枠3 の主要な部分である骨格部44を再利用して、その前面側の表層部46を交換することにより、新しい前枠3 を製作したり、前枠3 のデザインを変更したりすることが可能であり、前枠3 の製作、デザインの変更等を容易且つ低コストで行うことができる。従って、前枠構成材料を有効に活用でき、資源の無駄な消費を極力防止できる。
【００３４】
また構造的強度を有する骨格部44に、前枠3 を外枠2 に対して止着する止着手段6,7 を備えているため、その止着手段6,7 により前枠3 を容易に外枠2 に止着できる。しかも骨格部44を概ね合成樹脂製とし、この骨格部44に、遊技盤5 を着脱自在に装着する遊技盤装着手段4 と、前側下部に配置された下皿ユニット11の下皿骨格体47とを一体に備えているので、骨格部44と遊技盤装着手段4 と下皿骨格体47とを容易に成型できると共に、部品点数を少なくでき、組み立て等の作業を容易にできる。
【００３５】
特に下皿骨格体47を骨格部44に一体に成型して、この下皿骨格体47により下皿ユニット11側を支持する構造であるため、下皿ユニット11側の強度を確保できる。また下皿骨格体47は、下皿ユニット11の下皿本体を構成しているので、別途設けた下皿本体を下皿骨格体47により支持する場合に比較して構造的に非常に簡単である。
【００３６】
骨格部44を表層部46によって前面から覆う構造であるため、骨格部44はその構造的強度を重視して設計でき、前枠3 の前面側のデザイン等は専ら表層部46側で決定することができる。また表層部46に報知手段10のレンズ部88と、発射ハンドル85の表層筒体87と、下皿ユニット11の下皿カバー部78とを一体に成型しているため、それらの成型が容易であると共に、部品点数を少なくでき、組み立て等の作業を容易にできる。
【００３７】
表層部46は、骨格部44の前面に対応する表層カバー部65の内外周に内周屈曲部66と外周屈曲部67とを一体に備え、この内周屈曲部66と外周屈曲部67との間に骨格部44を嵌合させて、その内周屈曲部66と外周屈曲部67とをネジ70,71 により骨格部44のナット体68,69 に固定するため、骨格部44の前面を表層部46で覆う構造であるにも拘わらず、ネジ等が表層部46の前面側に露出することもない。また内周屈曲部66と外周屈曲部67とによって表層部46自体の強度も向上する。
【００３８】
また下皿カバー部78は、表層部46に一体に成型しているが、開口79側の嵌合受け部81に下皿骨格体47の嵌合縁部80が嵌合しているので、下皿カバー部78を下皿骨格体47により確実に支持できる。しかも下皿カバー部78の嵌合受け部81と下皿骨格体47の嵌合縁部80は、前後方向に嵌脱自在に嵌合しているため、両者の組み立て、結合等も容易にできる。
【００３９】
骨格部44に金属製の止着部、即ちナット体63,68,69をインサートし、このナット体63,68,69に螺合するネジ64,70,71により、止着手段6,7 、表層部46等を骨格部44に着脱自在に装着するようにしているため、骨格部44に対する止着手段6,7 、表層部46等の着脱等が容易であり、骨格部44を再利用するに当たっても、ナット体63,68,69を使用して止着手段6,7 、表層部46等を骨格部44に容易に固定できる。また骨格部44が合成樹脂製であるため、そのナット体63,68,69のインサート成型も容易にできる。
【００４０】
骨格部44はその内周側に誘導レール32を一体に備えているため、骨格部44が合成樹脂製であることと相俟って、遊技盤5 側に誘導レール32を備える場合に比較して容易に製作できる。特に骨格部44側に発射レール48があるので、この発射レール48と誘導レール32との相対位置を容易且つ確実に合わせることができ、発射レール48から誘導レール32へと遊技球を円滑に案内できる。
【００４１】
また誘導レール32の外周側に、遊技盤5 の前面に当接する当接板56を設け、この当接板56を介して誘導レール32を骨格部44の内周側に設けているため、この当接板56で誘導レール32を補強でき、誘導レール32が骨格部44の内周側にあるにも拘わらず、遊技盤5 の着脱時に、この遊技盤5 によって誘導レール32が変形することもなく、誘導レール32の破損、その他の損傷を少なくできる。
【００４２】
更に誘導レール32と一体に当接板56があるため、この当接板56で遊技領域33の外側の装飾を行うことができる。従って、誘導レール32が骨格部44側にあること、当接板56で遊技領域33の外側の装飾が可能であること等から、遊技盤5 側に装着すべき構成部品を少なくできる。
【００４３】
以上、本発明の各実施形態について例示したが、本発明は各実施形態に限定されるものではない。例えば、骨格部44は木製でも良いし、金属製の骨材を組み合わせて構成しても良い。この場合、遊技盤装着手段4 、下皿骨格体47は、予め骨格部44と別体に構成し、ネジ等で骨格部44の所定箇所に着脱自在に固定すれば良い。
【００４４】
また実施形態では、遊技者が操作する操作部45として発射ハンドル85を例示しているが、前枠3 の前面側、下皿ユニット11等に自動球貸し機用の操作スイッチ類の操作部を設ける場合には、その操作部の表層体を表層部46に一体に設けても良い。
【００４５】
誘導レール32を骨格部44側に設けるに当たっては、実施形態に例示のように当接板56等に一体に成型する他、ステンレス等の金属製のレール材を使用し、そのレール材をネジ等で骨格部44に固定するか、又はレール材の取り付け部を当接板56等にインサートして固定しても良い。
【００４６】
報知手段10は、大当たり表示ランプ等に限定されるものではなく、その他の表示ランプ類でも良い。その場合にも報知手段10の一部を表層部46に一体に構成することが可能である。勿論、表層部46とは別に設けても良い。止着手段6,7 の前枠ヒンジブラケット61は、その取り付け部61a 側を骨格部44にインサートしても良い。
【００４７】
骨格部44に表層部46、その他の付属部品を止着する止着部は、実施形態ではナット体63,68,69により構成しているが、大きな負荷がかかる箇所の止着部を金属製のナット体等により構成し、それほど大きな負荷がかからない箇所の止着部は、合成樹脂製の骨格部44に一体に形成しても良い。表層筒体87は表層部46から分離して設けても良い。表層部46の変更には、デザイン以外に樹脂材料の変更、その色の変更等が考えられる。
【００４８】
その他、本発明はパチンコ機に限らず、アレンジボール、雀球遊技機等の各種の弾球遊技機でも同様に実施することができる。
【００４９】
【発明の効果】
本発明では、前枠3 に遊技盤装着手段4 を介して遊技盤5 を裏側から着脱自在に装着した弾球遊技機において、前枠3 は、構造的強度を有する骨格部44と、遊技者が操作する操作部45と、骨格部44の前側に着脱自在に装着され且つ主に装飾的機能を有する表層部46とを備え、骨格部44に、遊技盤5 が嵌合する装着枠部52と該装着枠部52内の遊技盤5 を下側から支承する支承枠部53とを備え且つ骨格部44から裏側に突出する遊技盤装着手段4 を設け、該遊技盤装着手段4 の内周に、装着枠部52の上辺側から左右方向の一側辺を経て支承枠部53の左右方向の略中央に跨がり且つ遊技盤5 が裏側から当接する当接板56と、該当接板56の内周縁から前側に屈曲し且つ遊技盤5 の遊技領域33を取り囲み発射レール48側から発射された遊技球を遊技領域33へと誘導するように湾曲する誘導レール32とを設け、骨格部44と遊技盤装着手段4 と当接板56と誘導レール32とを合成樹脂により一体に成型しているので、前枠3 の主要な部分である骨格部44及び遊技盤装着手段4 を再利用して、前枠3 の前面側の表層部46を交換することにより、新しい前枠3 の製作、前枠3 のデザインの変更等を容易且つ低コストで行うことができ、前枠構成材料を有効に活用できる。
【図面の簡単な説明】
【図１】本発明の一実施形態を示す弾球遊技機の正面図である。
【図２】本発明の一実施形態を示す弾球遊技機の背面図である。
【図３】本発明の一実施形態を示す弾球遊技機の分解斜視図である。
【図４】本発明の一実施形態を示す遊技盤の正面図である。
【図５】本発明の一実施形態を示す骨格部の背面図である。
【図６】図５のＡ−Ａ線拡大断面図である。
【図７】図５のＢ−Ｂ線拡大断面図である。
【図８】本発明の一実施形態を示す上側の止着手段側の縦断面図である。
【図９】本発明の一実施形態を示す下側の止着手段側の縦断面図である。
【図１０】本発明の一実施形態を示すガラス扉取り付け部の横断面図である。
【図１１】本発明の一実施形態を示すガラス扉取り付け部の横断面図である。
【図１２】本発明の一実施形態を示す下皿ユニット側の縦断面図である。
【図１３】本発明の一実施形態を示す報知手段側の縦断面図である。
【図１４】本発明の一実施形態を示す操作手段側の縦断面図である。
【符号の説明】
3   前枠
4   遊技盤装着手段
5   遊技盤
10  報知手段
32  誘導レール
33  遊技領域
44  骨格部
45  操作部
46  表層部
【図１】
0003764297.tif 000002
【図２】
0003764297.tif 000003
【図３】
0003764297.tif 000004
【図４】
0003764297.tif 000005
【図５】
0003764297.tif 000006
【図６】
0003764297.tif 000007
【図７】
0003764297.tif 000008
【図８】
0003764297.tif 000009
【図９】
0003764297.tif 000010
【図１０】
0003764297.tif 000011
【図１１】
0003764297.tif 000012
【図１２】
0003764297.tif 000013
【図１３】
0003764297.tif 000014
【図１４】
0003764297.tif 000015